(57)【要約】【課題】  開封の容易な平版印刷版用内装材、平版印刷版内装構造及び平版印刷版外装構造を得る。【解決手段】  平版印刷版１０の版束１２を内装紙１６で内装した内装状態３８の裏面３８Ｂに、開封用テープ４２が貼着されている。開封用テープ４２には、内装状態３８の裏面３８Ｂに貼着される貼着部４２Ａと、裏面３８Ｂからはみ出して内装紙１６に貼着されない非貼着部４２Ｂと、が構成されている。非貼着部４２Ｂを引っ張ると、貼着部４２Ａの近傍の内装紙１６が貼着部４２Ａと共に引っ張られて、内装紙１６が破れる。【選択図】  図２
2006082865.tif 000002
【特許請求の範囲】
【請求項１】
厚み方向に積層された複数枚の平版印刷版で構成される版束を内装する内装材であって、
内装状態で外側となる面に貼着され、少なくとも一部が引っ張られることで貼着力により内装材を破断可能な開封用貼着部材、
を有することを特徴とする平版印刷版用内装材。
【請求項２】
請求項１に記載の平版印刷版用内装材であって、
前記開封用貼着部材が、前記版束の内装状態に維持する内装維持部材が貼着される面と反対の面となる位置に貼着されていることを特徴とする平版印刷版用内装材。
【請求項３】
厚み方向に積層された複数枚の平版印刷版で構成される版束を包装する内装材と、
前記内装材の外側に貼着され、少なくとも一部が引っ張られることで貼着力により内装材を破断可能な開封用貼着部材と、
を有することを特徴とする平版印刷版内装構造。
【請求項４】
前記内装材による前記版束の内装状態で、内装材に貼着されてこの内装状態を維持する内装維持部材、
を備え、
前記開封用貼着部材が、前記内装維持部材が貼着された面の反対面で内装材に貼着されていることを特徴とする請求項３に記載の平版印刷版内装構造。
【請求項５】
前記内装維持部材が粘着テープであることを特徴とする請求項４に記載の平版印刷版内装構造。
【請求項６】
前記開封用貼着部材が、
前記内装材に貼着される貼着部と、この貼着部から連続し内装材に貼着されない非貼着部と、を含んで構成されていることを特徴とする請求項３〜請求項５のいずれか１項に記載の平版印刷版内装構造。
【請求項７】
前記非貼着部の少なくとも一部が、内装状態の内装材の外側にはみ出していることを特徴とする請求項６に記載の平版印刷版内装構造。
【請求項８】
請求項３〜請求項７のいずれか１項に記載の平版印刷版内装構造と、
前記平版印刷版内装構造を外装する外装材と、
を有することを特徴とする平版印刷版外装構造。
【請求項９】
前記外装材の一部にこの外装材を開封するための開封部が設けられ、
前記開封用貼着部材が、前記開封部によって前記外装材が開封されたときに露出する位置とされていることを特徴とする請求項８に記載の平版印刷版外装構造。
【発明の詳細な説明】
【技術分野】
【０００１】
本発明は、平版印刷版用内装材、平版印刷版内装構造及び平版印刷版外装構造に関する。
【背景技術】
【０００２】
近年の製版法（電子写真製版法を含む）では、製版工程の自動化を容易にすべく、感光性印刷版や感熱性印刷板等の平版印刷版が広く用いられている。平版印刷版は、不用意に光が当たったり、外気の変化（温度変化や湿度変化）等にさらされたりすると性状が変化するため、遮光及び外気遮断のために内装紙によって内装される。
【０００３】
しかし、平版印刷版の内装は、内装材の一例であるクラフト紙等で平版印刷版の版束を包装し、外側から粘着テープ等で内装材を留めることで行われている。内装紙は不用意には破れないようにされているため、開封時には粘着テープ等を剥がすか、若しくは刃物を使用することになる。しかし、刃物を使用すると、包装された平版印刷版を傷つけるおそれがある。
【０００４】
また、平版印刷版は一枚の薄い板状とされているため、角や辺、内部等に傷や変形があると、感光や感熱によって現像した際に像がぼけたり、印刷した際にインクが不均一になる等の問題が生じやすい。
【０００５】
そこで、特許文献１等に記載されているように、平版印刷版をさらに包装外箱（外装材）で包装することも行われている。
【０００６】
しかし、内装材を留めている粘着テープは片面にしか存在していないため、外装材を開封した状態で、この粘着テープが露出していないことがある。この場合には、一旦外装材から、内装された版束を取り出さなければならず、作業性が悪い。特に、特許文献１に記載のような両面に開封面を有する包装外箱を使用した場合には、粘着テープが露出しない面で包装外箱を開封してしまう可能性がある。
【特許文献１】特開２００１−１９４７７４号公報
【発明の開示】
【発明が解決しようとする課題】
【０００７】
本発明は上記事実を考慮し、開封の容易な平版印刷版用内装材、平版印刷版内装構造及び平版印刷版外装構造を得ることを課題とする。
【課題を解決するための手段】
【０００８】
請求項１に記載の発明では、厚み方向に積層された複数枚の平版印刷版で構成される版束を内装する内装材であって、内装状態で外側となる面に貼着され、少なくとも一部が引っ張られることで貼着力により内装材を破断可能な開封用貼着部材、を有することを特徴とする。
【０００９】
したがって、この平版印刷版用内装材で平版印刷版の版束を内装すると、版束を構成する平版印刷版は遮光及び外気遮断され、その性状を維持することができる。内装状態での外側には、開封用貼着部材が存在しているので、この開封用貼着部材を引っ張ることで、貼着力により平版印刷版用内装材を破断して、容易に開封することができる。
【００１０】
請求項２に記載の発明では、請求項１に記載の平版印刷版用内装材であって、前記開封用貼着部材が、前記版束の内装状態に維持する内装維持部材が貼着される面と反対の面となる位置に貼着されていることを特徴とする。
【００１１】
したがって、この平版印刷版用内装材を使用した内装状態では、一方の面に内装維持部材が存在し、これと反対の面には開封用貼着部材が位置する。このため、内装状態において内装材を２面のいずれからでの容易に開封可能となる。
【００１２】
請求項３に記載の発明では、厚み方向に積層された複数枚の平版印刷版で構成される版束を包装する内装材と、前記内装材の外側に貼着され、少なくとも一部が引っ張られることで貼着力により内装材を破断可能な開封用貼着部材と、を有することを特徴とする。
【００１３】
このように版束を内装材で内装することで、版束を構成する平版印刷版は遮光及び外気遮断され、その性状を維持することができる。
【００１４】
内装材の外側には開封用貼着部材が貼着されており、その少なくとも一部が引っ張られると、貼着力が作用している部分の包装材も引っ張られて破断されるので、容易に開封できる。
【００１５】
なお、開封用貼着部材は、内装材によって版束を内装した後に内装材の外側に貼着してもよいが、あらかじめ開封用貼着部材が貼着された請求項１又は請求項２に記載の平版印刷版用内装材を使用してもよい。
【００１６】
請求項４に記載の発明では、請求項３に記載の発明において、前記内装材による前記版束の内装状態で、内装材に貼着されてこの内装状態を維持する内装維持部材、を備え、前記開封用貼着部材が、前記内装維持部材が貼着された面の反対面で内装材に貼着されていることを特徴とする。
【００１７】
すなわち、内装材は内装維持部材によって版束を内装した状態に維持される。従来の平版印刷版内装構造では、この内装維持部材が設けられた面では、内装維持部材の除去等によって内装材を開封できるが、内装維持部材が設けられていない面では、開封が難しい。本発明のように、内装維持部材が貼着された面の反対面で開封用貼着部材が内装材に貼着されていると、内装材の両面で開封が容易になる。
【００１８】
本発明において、開封用貼着部材は、内装材によって版束を内装した後に、内装維持部材が貼着された面の反対面に貼着してもよいが、あらかじめ開封用貼着部材が貼着された請求項２に記載の平版印刷版用内装材を使用してもよい。
【００１９】
なお、内装維持部材としては、たとえば請求項５に記載のように粘着テープとすると、簡単な構成で内装状態を確実に維持でき、好ましい。
【００２０】
請求項６に記載の発明では、請求項３〜請求項５のいずれか１項に記載の発明において、前記開封用貼着部材が、前記内装材に貼着される貼着部と、この貼着部から連続し内装材に貼着されない非貼着部と、を含んで構成されていることを特徴とする。
【００２１】
したがって、非貼着部を容易に且つ確実に把持して、開封用貼着部材を引っ張ることができる。この引っ張りにより、内装材に貼着部された貼着部によって内装材を破断する（破く）ことができ、容易に開封できる。
【００２２】
請求項７に記載の発明では、請求項６に記載の発明において、前記非貼着部の少なくとも一部が、内装状態の内装材の外側にはみ出していることを特徴とする。
【００２３】
これにより、非貼着部を容易に把持できる。
【００２４】
請求項８に記載の発明では、請求項３〜請求項７のいずれか１項に記載の平版印刷版内装構造と、前記平版印刷版内装構造を外装する外装材と、を有することを特徴とする。
【００２５】
このように外装材で外装することで、平版印刷版を外力等からも保護して、その変形や損傷を防止することができる。
【００２６】
請求項９に記載の発明では、請求項８に記載の発明において、前記外装材の一部にこの外装材を開封するための開封部が設けられ、前記開封用貼着部材が、前記開封部によって前記外装材が開封されたときに露出する位置とされていることを特徴とする。
【００２７】
したがって、開封部によって外装材を容易に開封することができる。外装材を開封した状態で、内装材に貼着された開封用貼着部材が露出するので、内装材の開封も、開封用貼着部材を引っ張って内装材を破ることで容易に行うことができる。
【発明の効果】
【００２８】
本発明は上記構成としたので、開封が容易になる。
【発明を実施するための最良の形態】
【００２９】
図２には、本発明の第１実施形態の内装紙１６を用いた平版印刷版内装構造１８が示されている。また、図１には、内装紙１６を用いて平版印刷版１０の版束１２を包装（内装）する途中の状態が示されている。
【００３０】
平版印刷版１０は、長方形の板状に形成された薄いアルミニウム製の支持体上に、塗布膜（感光性印刷版の場合には感光層、感熱性印刷版の場合には感熱層、さらに必要に応じて、オーバーコート層やマット層等）を塗布して形成されている。この塗布膜に、露光、現像処理、ガム引き等の製版処理が行われ、印刷機にセットされ、インクが塗布されることで、紙面に文字、画像等が印刷される。なお、本実施形態の平版印刷版１０は、印刷に必要な処理（露光や現像等）が施される前段階のものであり、場合によっては平版印刷版原版あるいは平版印刷版材と称されることもある。
【００３１】
なお、このような構成とされていれば、平版印刷版１０の具体的構成は特に限定されないが、例えば、ヒートモード方式およびフォトン方式のレーザ刷版用の平版印刷版とすることによって、デジタルデータから直接製版可能な平版印刷版とすることができる。
【００３２】
また、平版印刷版１０は、感光層又は感熱層中の成分を種々選択することによって、種々の製版方法に対応した平版印刷版とすることができる。本発明に係る平版印刷版１０の具体的態様の例としては、下記（１）〜（１１）の態様が挙げられる。
（１）  感光層が赤外線吸収剤、熱によって酸を発生する化合物、および酸によって架橋する化合物を含有する態様。
（２）  感光層が赤外線吸収剤、および熱によってアルカリ溶解性となる化合物を含有する態様。
（３）  感光層が、レーザ光照射によってラジカルを発生する化合物、アルカリに可溶のバインダー、および多官能性のモノマーあるいはプレポリマーを含有する層と、酸素遮断層との２層を含む態様。
（４）  感光層が、物理現像核層とハロゲン化銀乳剤層との２層からなる態様。
（５）  感光層が、多官能性モノマーおよび多官能性バインダーとを含有する重合層と、ハロゲン化銀と還元剤を含有する層と、酸素遮断層との３層を含む態様。
（６）  感光層が、ノボラック樹脂およびナフトキノンジアジドを含有する層と、ハロゲン化銀を含有する層との２層を含む態様。
（７）  感光層が、有機光導電体を含む態様。
（８）  感光層が、レーザー光照射によって除去されるレーザー光吸収層と、親油性層および／または親水性層とからなる２〜３層を含む態様。
（９）  感光層が、エネルギーを吸収して酸を発生する化合物、酸によってスルホン酸またはカルボン酸を発生する官能基を側鎖に有する高分子化合物、および可視光を吸収することで酸発生剤にエネルギーを与える化合物を含有する態様。
（１０）  感光層が、キノンジアジド化合物と、ノボラック樹脂とを含有する態様。
（１１）  感光層が、光又は紫外線により分解して自己もしくは層内の他の分子との架橋構造を形成する化合物とアルカリに可溶のバインダーとを含有する態様。
【００３３】
特に、近年では、レーザーで露光する高感度感光タイプの塗布膜を塗布した平版印刷版や、感熱タイプの平版印刷版が使用されることもある（例えば上記した（１）〜（３）の態様等）。
【００３４】
なお、ここでいうレーザー光の波長は特に限定されず、例えば、
（Ａ）  波長域３５０〜４５０ｎｍのレーザー（具体例としては、波長４０５±５ｎｍのレーザーダイオード）。
（Ｂ）  波長域４８０〜５４０ｎｍのレーザー（具体例としては、波長４８８ｎｍのアルゴンレーザー、波長５３２ｎｍの（ＦＤ）ＹＡＧレーザー、波長５３２ｎｍの固体レーザー、波長５３２ｎｍの（グリーン）Ｈｅ−Ｎｅレーザー）。
（Ｃ）  波長域６３０〜６８０ｎｍのレーザー（具体例としては、波長６３０〜６７０ｎｍのＨｅ−Ｎｅレーザー、波長６３０〜６７０ｎｍの赤色半導体レーザー）。
（Ｄ）  波長域８００〜８３０ｎｍのレーザー（具体例としては、波長８３０ｎｍの赤外線（半導体）レーザー）。
（Ｅ）  波長１０６４〜１０８０ｎｍのレーザー（具体例としては、波長１０６４ｎｍのＹＡＧレーザー）。
【００３５】
等を挙げることができる。これらのうち、例えば、（Ｂ）及び（Ｃ）の波長域のレーザー光はいずれも、上記した（３）又は（４）の態様の感光層又は感熱層を有する平版印刷版の双方に適用可能である。また、（Ｄ）及び（Ｅ）の波長域のレーザー光はいずれも、上記した（１）又は（２）の態様の感光層又は感熱層を有する平版印刷版の双方に適用可能である。もちろん、レーザー光の波長域と感光層又は感熱層との関係はこれらに限定されない。
【００３６】
また、本実施形態の平版印刷版１０（上記した（１）〜（１１）の全ての態様の平版印刷版）は、版束１２を構成した状態で自動給版機能を持った自動製版機やいわゆるプレートセッター等にセットされ、製版工程への供給（給版）されることがある平版印刷版とされている。但し、実際の使用状況において、平版印刷版の使用者が平版印刷版１０を自動給版機構によって給版するか、手動で給版するか等の使い方に左右されない。もちろん、（１）〜（１１）以外の態様の平版印刷版であっても、自動給版機能を持った自動製版機やいわゆるプレートセッター等にセットされ、製版工程への供給（給版）される可能性がある平版印刷版は、全て本実施形態に係る平版印刷版１０に含まれる。
【００３７】
さらに、平版印刷版のなかには、使用される印刷機によって紙面の都合上、インクを塗布しない位置（すなわち印刷されない領域）にセットされて使用される、いわゆる「捨て版」あるいは「空版」と称されるものもある。このようは捨て版あるいは空版も、本実施形態に係る平版印刷版１０に含まれる。
【００３８】
平版印刷版１０の形状等は特に限定されず、例えば、厚み０．１〜０．５ｍｍ、長辺３００〜２０５０ｍｍ、短辺２００〜１５００ｍｍのアルミニウム板の片面又は両面に塗布膜（感光層あるいは感熱層等）が塗布されたもの等とすることができる。
【００３９】
そして、図１から分かるように、塗布膜を保護する合紙１４と、平版印刷版１０と、を交互に厚み方向に重ね合わせて、さらに重ね合わせ方向の両端面、あるいは平版印刷版１０の所定枚数ごとに保護用厚紙２０を配置して、平版印刷版１０の版束１２が構成されている。そして、この版束１２が、遮光性、防湿性を有する内装紙１６で内装されている。
【００４０】
１つの版束１２を構成する平版印刷版１０の数は特に限定されないが、運搬や保管の効率化の観点等から、例えば１０枚〜２００枚とすることができる。平版印刷版１０を１０枚以上とすることで、荷扱いの効率化を図ることができる。また、２００枚以下とすることで、版束１２自体の重量が制限されることになるので、荷扱いにおける作業負荷が軽減される。また、さらに多くの平版印刷版１０によって版束１２を構成し、より効率的に（少ない荷扱いの回数で）運搬や保管をできるようにすることも可能である。平版印刷版１０の種類によっては、合紙１４及び保護用厚紙２０のいずれか一方若しくは双方を省略して、平版印刷版１０の版束１２を構成してもよい。
【００４１】
なお、本実施形態では、支持体の片面にのみ塗布膜が設けられたものを挙げており、この塗布膜が図１において上側になるように配置されて版束１２が構成されている。これにより、後述するように、裏面３８Ｂを上にし開封用テープ４２を引っ張って内装紙１６を開封したときに、平版印刷版１０の支持体側（裏面）が上になる。また、内装紙１６による内装作業の作業性が向上されている。なお、平版印刷版の種類によっては、支持体の片面だけでなく、両面に塗布膜が設けられたもの（いわゆる「両面品」）もあるが、このような両面品の平版印刷版によって版束１２を構成する場合には、図１において最も下側の平版印刷版１０のさらに下（平版印刷版１０と保護用厚紙２０の間）にも合紙１４を１枚配置する（従って、合紙１４は平版印刷版１０よりも１枚多くなる）。これにより、平版印刷版１０の塗布膜が保護用厚紙２０に直接接触しなくなるので、塗布膜と保護用厚紙２０とが直接接触することによる塗布膜の損傷が防止される。
【００４２】
合紙１４としては、平版印刷版１０の塗布膜（画像形成面）を保護できれば、具体的構成は特に限定されないが、例えば、木材パルプを１００％使用した紙や、木材パルプを１００％使用せず合成パルプを使用した紙、及びこれらの紙の表面に低密度ポリエチレン層を設けた紙等を使用できる。特に、合成パルプを使用しない紙では、材料コストが低くなるので、低コストで合紙１４を製造することができる。より具体的には、漂白クラフトパルプから抄造した坪量３０〜６０ｇ／ｍ2 、密度０．７〜０．８５ｇ／ｃｍ3 、水分４〜８％、ＰＨ４〜６の合紙が挙げられるが、もちろんこれに限定されない。
【００４３】
また、保護用厚紙２０としては、故紙から抄造した坪量２００〜１５００ｇ／ｍ2、密度０．７〜０．８５ｇ／ｃｍ3、水分４〜８％、ベック平滑度３〜２０秒、ＰＨ４〜６の保護用厚紙２０を使用することができる。なお、例えば１０枚〜１００枚の平版印刷版１０によって版束１２を構成した場合には、平版印刷版１０と保護用厚紙２０とがずれないように、粘着テープ等の固定手段でこれらを固定してもよい。
【００４４】
平版印刷版１０を厚み方向に積層して版束１２を構成する工程も特に限定されないが、例えば、ウエブ状の平版印刷版を長手方向に搬送しつつ所定のサイズに裁断する平版印刷版の加工ラインでは、平版印刷版１０を順次集積する集積装置が設けられることが一般的であるので、この集積装置で集積することで、版束１２を構成すればよい。また、この加工ラインでは、裁断前のウエブ状の平版印刷版に、同じくウエブ状の合紙が接触配置され、その後にウエブ状の平版印刷版と合紙とが一体で裁断されて所定サイズとされることが多いので、この場合には、集積装置での集積時に、平版印刷版１０と合紙１４とが交互に積層された状態で版束１２が構成される。もちろん、平版印刷版１０と合紙１４とを交互に積層したのち、さらにカッタ等によって平版印刷版１０の端部を切りそろえて、版束１２を構成してもよい。
【００４５】
このようにして構成された版束１２を、内装紙１６によって内装する。内装紙１６は、遮光性及び防湿性を有する紙によって構成されており、この内装紙１６を使用して、版束１２が外部から完全に遮断されるように内装することで、版束１２を確実に遮光及び防湿することができる。
【００４６】
内装紙１６の材質は、版束１２を完全に外部から遮断して包装することが可能であれば特に限定されないが、例えば、所定の大きさとされた１枚の長方形状の未晒クラフト紙によって構成することができる。また、このクラフト紙に、所定の厚さの金属薄膜を貼着し、場合によってはさらにこの金属薄膜上に所定の厚さの樹脂層を貼り合わせて構成されたものを使用してもよい。さらに、この金属薄膜に、１０〜７０μｍの低密度ポリエチレン層を貼着したり、この低密度ポリエチレン層に、７０μｍ程度の黒ポリエチレンフィルムを貼り合わせて、遮光性及び防湿性を高めた物を使用してもよい。一般に、感光性印刷版は感光性が高く、僅かな可視光波長帯域の光によって露光されても感光層に変化が生じるため、遮光する必要がある。また、感熱性印刷板も、当たる光の熱エネルギーによって感熱層が変質したり、反応進行によって感度変化が起こったりする場合があるため、適度な遮光を行うことが好ましい。さらに、急激な湿度変化や温度変化を受けると、いずれの印刷板も、感光層又は感熱層に結露が発生して変質したり、合紙１４と接着されてしまったりする等の不都合があるため、防湿する必要が生じる。内装紙１６は上記したように構成されることで一定の遮光性及び防湿性を有するため、平版印刷版１０の感光層又は感熱層の変質が防止され、平版印刷版１０は一定の品質に維持される。もちろん、内装紙１６が上記した一定の遮光性及び防湿性を発揮できれば、必ずしも低密度ポリエチレン層及び黒ポリエチレンフィルム等が貼着されている必要はない。
【００４７】
また、内装紙１６の形状及び内装構造（内装紙の折り方）等も、版束１２を防湿及び遮光可能であれば特に限定されない。
【００４８】
そして、この内装紙１６を適切な位置で折り曲げることで、版束１２の全体を覆うように内装して内装状態３８を得る。内装状態３８とは、本発明に係る開封用テープ４２を貼着する前段階のものであり、図２（Ａ）に示すように、内装紙１６の端辺近傍が部分的に重なっていて、この部分が粘着テープ４０によって留められている。これにより、不用意に内装紙１６が広がったり脱落したりしないように固定され、内装状態３８が維持される。この状態で、粘着テープ４０が貼着された面に、平版印刷版１０の塗布膜が位置しており、内装状態３８における表面３８Ａとなっている。
【００４９】
ここで、図２（Ｂ）に示すように、内装状態３８の裏面３８Ｂには、本発明の開封用貼着部材として、開封用テープ４２が貼着されている。本実施形態では、開封用テープ４２は長尺状に形成されると共に、一面が接着面とされている。そして、この接着面が内装状態３８の裏面３８Ｂに貼着される貼着部４２Ａと、裏面３８Ｂからはみ出して内装紙１６に貼着されない非貼着部４２Ｂと、が構成されている。非貼着部４２Ｂは、このように内装紙１６には貼着されないことで、作業者が容易に且つ確実に把持できるようになっている。
【００５０】
内装紙１６に貼着された貼着部４２Ａは、非貼着部４２Ｂを把持して引っ張っても、内装紙１６から不用意にはがれない程度の粘着力を有している。したがって、非貼着部４２Ｂを引っ張ると、貼着部４２Ａの近傍の内装紙１６が貼着部４２Ａと共に引っ張られて、内装紙１６は破れるようになっている。
【００５１】
このように、本実施形態の平版印刷版内装構造１８では、開封用テープ４２を引っ張ることで、容易に開封して内部の平版印刷版を取り出すことができる。また、従来のように、開封用テープ４２が貼着されていない構成では、裏面３８Ｂ側から開封することは困難であり、たとえば刃物等を使用して内装紙１６を開封する場合には、内部の平版印刷版１０を傷つけないようにするために注意する必要があり、作業負荷になっていた。しかし、本実施形態では、裏面３８Ｂ側であっても、容易に開封できる。たとえば、内装状態３８（平版印刷版内装構造１８）の裏面３８Ｂを上にして開封すれば、平版印刷版１０を裏面が上になるように取り出せるので、露光装置へのセット等も容易になる。
【００５２】
なお、開封用テープ４２の内装紙１６への貼着は、内装紙１６によって版束１２を内装した後に行ってもよいが、あらかじめ開封用テープ４２を内装紙１６に貼着しておき、この内装紙１６を使用して版束１２を内装し、本発明に係る平版印刷版内装構造１８を得てもよい。
【００５３】
次に、本発明の第２実施形態について説明する。第２実施形態では、第１実施形態で得られた平版印刷版内装構造１８を、さらに平版印刷版用外装箱５０で外装して、本発明に係る平版印刷版外装構造３２を得るものである。
【００５４】
図３及び図５には、平版印刷版用外装箱５０の一例が示されている。この平版印刷版用外装箱５０は、図４に示す展開図からも分かるように、底面板５４の短辺側及び上面板５６の短辺側に、底面積層板５８及び上面積層板６０が隣接して設けられている。底面積層板５８及び上面積層板６０には複数の折曲線６２が形成されており、この折曲線６２で折り曲げることで、図３に示すように、組立状態では渦巻き状の積層部６４、６６が構成される。そして、平版印刷版用外装箱５０に外部から大きな力が作用しても、版束１２を構成する平版印刷版１０には、少なくとも品質上問題となるような傷や変形が生じない程度に確実に保護される。また、上面板５６によって、平版印刷版用外装箱５０の取出口（上面）が閉塞されている。包装状態では、２枚の上面板５６が粘着テープ６８によって固定されて不用意に開かないようになっているが、この粘着テープ６８を除去して矢印上面板５６をいわゆる「観音状」に開くことで平版印刷版用外装箱５０を開梱して、平版印刷版１０を取り出すことができる。
【００５５】
また、この平版印刷版用外装箱５０では、底面板５４に、所定形状（本実施形態では横Ｈ字状）の破断線７０（いわゆるミシン目）が形成されており、破断線７０に沿って平版印刷版用外装箱５０を容易に開封できるようになっている。開封状態では、内部の平版印刷版内装構造１８を取り出すことができる程度の開口部が構成される。したがって、この平版印刷版用外装箱５０は、上面板５６側と底面板５４側の双方から開くことができる。換言すれば、内部の平版印刷版１０を、塗布膜（感光層）側の面からであっても、支持体側の面からであっても開封することができる。
【００５６】
平版印刷版用外装箱５０を構成する材料は、このように平版印刷版１０を外力から保護できれば特に限定されないが、例えば段ボール製とすると、軽量且つ低コストで平版印刷版用外装箱５０を構成でき、しかも使用後のリユースやリサイクル、廃却も容易になるので、好ましい。
【００５７】
この平版印刷版用外装箱５０には、図３からも分かるように、底面板５４側に平版印刷版内装構造１８の裏面３８Ｂが位置するように平版印刷版内装構造１８が収容されて包装される。
【００５８】
この平版印刷版用外装箱５０の底面板５４側から平版印刷版１０を取り出すには、まず、図６に示すように、破断線７０で平版印刷版用外装箱５０を破断する。これにより、平版印刷版用外装箱５０が開封され、開封用テープ４２が露出する。次に、図７に示すように、非貼着部４２Ｂを引っ張っれば、内装紙１６を部分的に破いて開封することができるので、包装された平版印刷版１０を取り出せる。
【００５９】
これに対し、平版印刷版用外装箱５０の上面板５６側から平版印刷版１０を取り出すには、従来と同様に、粘着テープ６８を除去して矢印上面板５６を観音状に開き、粘着テープ４０を除去すればよい。
【００６０】
このように、平版印刷版用外装箱５０によってさらに外装した場合であっても、平版印刷版用外装箱５０を開封した状態から直ちに、内装紙１６を開封できる。しかも、平版印刷版用外装箱５０の両面から、平版印刷版１０に不要な圧力や損傷等を与えるおそれもなく容易に開封できる。そして、平版印刷版１０を所望の向きで（たとえば支持体側の面を上にして）容易に取り出し、露光装置等にセットすることもできる。
【００６１】
特に、平版印刷版用外装箱５０を使用した平版印刷版外装構造３２では、一般に一人の作業者で容易に平版印刷版外装構造３２を反転させることができる程度の重量とされることが多い。この場合に、一人の作業者が必要に応じて平版印刷版外装構造３２を反転させ、平版印刷版１０の裏面が上になるようにした状態でも容易に開封できるので、露光装置等へのセットも容易に行うことができる。開封途中に平版印刷版１０に変形させたり損傷を与えたりすることもない。
【００６２】
本発明の開封用貼着部材としては、上記した開封用テープ４２に限定されない。たとえば、形状としても長尺状とされている必要はなく、多角形や円形であってもよい。
【００６３】
開封用テープ４２の材質も特に限定されないが、非貼着部４２Ｂを引っ張ったときに開封用テープ４２自体が不用意に破談されない程度の強度を有している必要がある。たとえば、ＰＥＴ、ＰＰ、ＰＥ、セロハン等で開封用テープ４２を構成すると、この条件を満足でき、しかも低コストとなるので好ましい。
【００６４】
また、開封用テープ４２の数や貼着位置、向きも上記したものに限定されず、図８（Ａ）〜（Ｉ）に示す種々の態様とすることが可能である。図８（Ｈ）に示すように、開封用テープ４２の一部が内装状態での内装紙１６からはみ出していない構成であってもよい。この場合には、たとえば図９に示すように、開封用テープ４２の粘着面４２Ｃ側が内側になるように端部を折り返しておけば内装紙１６に貼着しなくなるので、簡単に非貼着部４２Ｂを構成できる。そして、二点鎖線で示すように内装紙１６から立ち上げて容易に把持可能となる。なお、図９に示す非貼着部４２Ｂの構成は、図２及び図８（Ａ）〜（Ｉ）の各種構成にも好ましく適用できる。もちろん、非貼着部４２Ｂを内装紙１６の外側にはみ出すようにしておけば、把持が容易になるのでより好ましい。
【図面の簡単な説明】
【００６５】
【図１】本発明の第１実施形態の平版印刷版用内装紙と、この平版印刷版用内装紙を使用して平版印刷版内装構造を構成する途中の状態を示す斜視図である。
【図２】本発明の第１実施形態の平版印刷版用内装紙を使用した平版印刷版内装構造を示し、（Ａ）は平面図、（Ｂ）は底面図である。
【図３】本発明の第２実施形態の平版印刷版用外装箱と、この平版印刷版用外装箱を使用して平版印刷版外装構造を構成する途中の状態を示す斜視図である。
【図４】本発明の第２実施形態の平版印刷版外装箱を示す展開図である。
【図５】本発明の第２実施形態の平版印刷版外装構造を示し、（Ａ）は平面図、（Ｂ）は底面図である。
【図６】本発明の第２実施形態の平版印刷版外装構造において平版印刷版用外装箱から平版印刷版を取り出す途中の状態を示す斜視図である。
【図７】本発明の第２実施形態の平版印刷版外装構造において平版印刷版用外装箱から平版印刷版を取り出す途中の状態を示す斜視図である。
【図８】（Ａ）〜（Ｉ）はいずれも、本発明の平版印刷版内装構造の各種の変形例を示す平面図である。
【図９】本発明に適用可能な開封用テープの具体的構成を示す側面図である。
【符号の説明】
【００６６】
１０   平版印刷版
１２   版束
１４   合紙
１６   内装紙（平版印刷版用内装材）
１８   平版印刷版内装構造
２０   保護用厚紙
３２   平版印刷版外装構造
３８   内装状態
３８Ａ 表面
３８Ｂ 裏面
４０   粘着テープ（内装維持部材）
４２   開封用テープ
４２Ａ 貼着部
４２Ｂ 非貼着部
４２Ｃ 粘着面
５０   平版印刷版用外装箱
５４   底面板
５６   上面板
５８   底面積層板
６０   上面積層板
６２   折曲線
６４   積層部
６８   粘着テープ
７０   破断線
【図１】
2006082865.tif 000003
【図２】
2006082865.tif 000004
【図３】
2006082865.tif 000005
【図４】
2006082865.tif 000006
【図５】
2006082865.tif 000007
【図６】
2006082865.tif 000008
【図７】
2006082865.tif 000009
【図８】
2006082865.tif 000010
【図９】
2006082865.tif 000011